(57)【要約】【課題】ダム等の取水口の近傍で設置が簡単でかつ濁水中の微粒子を効率良く除去することを目的とする。【解決手段】水面近傍に設けられた取水口に至る水流路に対し、上部にフロートを有し、機能性を有する水透過垂下膜状体を水流に対し対向するように多重展張した表層取水浄化装置に濁水を流し、前記多重展張された機能性を有する水透過垂下膜状体を透過させて処理した後、前記前記取水口から清澄化水を取水する、濁水の清澄化方法。【選択図】図４
2015085285.tif 000002
【特許請求の範囲】
【請求項１】
本発明は、水面近傍に設けられた取水口に至る水流路に対し、上部にフロートを有し、機能性を有する水透過垂下膜状体を水流に対し対向するように多重展張した表層取水浄化装置に濁水を流し、前記多重展張された機能性を有する水透過垂下膜状体を透過させて処理した後、前記前記取水口から清澄化水を取水することを特徴とする濁水の清澄化方法。
【発明の詳細な説明】
【技術分野】
【０００１】
本発明は、ダム、湖沼、調整池、沈澱池、排水池、河川などの濁水の清澄化方法に関する。
【背景技術】
【０００２】
従来ダム、湖沼、調整池、沈澱池、排水池、河川などの水は、降雨時や田園の代掻き、土砂崩れ等により高濁水として滞留貯水される。これらの濁水中の微粒子は、長時間の沈降時間を要し、長時間に亘り濁水状態が保持される。
これらの濁水を上水道、工業用水、発電、特に工業用水などに使用する場合、実際の基準値以上の濁水となり、対応ができずに使用できない事態がしばしば生起していた。また上水道では、原水の高濁度化が沈砂池内の沈殿物の増加を来すために、沈澱池の凝集上限値を超える濁度が数千ｍｇ／Ｌになると長時間の処理が困難になる等の問題等が発生するようになる。
【発明の概要】
【発明が解決しようとする課題】
【０００３】
本発明は、前記したようなダム、湖沼、調整池、沈澱池、排水池、河川などから取水して上水道、工業用水、発電などに用いる場合に取水口近傍に付着型フェンスを多重展張し、濁水を該付着型フェンスを通過させて濁水の原因物質である微粒子状物質を除去して清澄化し前記目的を達成するものである。
【課題を解決するための手段】
【０００４】
すなわち、本発明は、水面近傍に設けられた取水口に至る水流路に対し、上部にフロートを有し、機能性を有する水透過垂下膜状体を水流に対し対向するように多重展張した表層取水浄化装置を有する水透過垂下膜状体を透過させて処理した後前記取水口から清澄化水を取水することを特徴とする濁水の清澄化方法。
【発明の効果】
【０００５】
本発明方法によれば、水透過垂下膜状体に設けられた機能性物質により、交差流を生起させ、濁水中の微粒子（汚濁物質）を捕捉し易くし、さらに水透過垂下膜状体を透過（通過）摺ることによって水流が下降流となるために水面部近傍に微粒子が拡散するのを防止することができる。
また本発明に使用する表層取水浄化装置はフォローティング式であるため容易に設置することができ、使用場所も任意のところに設置することができる。
【図面の簡単な説明】
【０００６】
【図１】水透過垂下膜状体を示すネットの正面図
【図２】水透過垂下膜状体を示す縄(なわ)のれんの正面図
【図３】水透過垂下膜状体の他の態様を示す正面図
【図４】小規模ダムに水透過垂下膜状体を設置した態様を示す斜視図
【図５】小規模ダムに水透過垂下膜状体を設置した態様を示す平面図
【図６】小規模ダムに水透過垂下膜状体を設置した態様を示す縦断面図
【図７】ダムに水透過垂下膜状体を設置した他の態様を示す斜視図
【図８】図７の平面図
【図９】図７の縦断面図
【図１０】ダムに水透過垂下膜状体を設置した他の態様を示す平面図
【図１１】図１０の縦断面図
【図１２】ダムに水透過垂下膜状体を設置した他の態様を示す平面図
【図１３】図１２の縦断面図
【図１４】ダム湖に表層取水浄化装置を設置した態様を示す縦断面図
【図１５】ダム湖に表層取水浄化装置を設置した態様を示す斜視図
【発明を実施するための形態】
【０００７】
本発明方法に使用する水透過垂下膜状体１としては図１に示すようなネット２、また図２に示すような縄のれん状３のものが使用でき、その他不織布やモールコード等の様々なものが使用できる。
ここで云うモールコードは、ロープの芯の周りに複数の小さなループ繊維を螺旋にモール状加工した組紐を云う。
前記ネットの網目は一般的に１〜４ｃｍ程度のものが好ましく、また縄のれん状の場合は、０．１〜２ｃｍの太さのものが好ましく、さらに三つ打ち、八つ打ちで構成されたロープがその表面に凹凸部が多くあるので好ましい。
【０００８】
また、水透過垂下膜状体１には、その表面に機能性物質が設けられている。この機能性物質としてはモールコード等が挙げられるが、特にラッシュが好ましい。
ここで云うラッシュは、ロープの芯の周りに複数のループ繊維を対角線にモール状加工した組紐を云い、ラッシュ（Ｌｕｓｈ）とは、ループ繊維が、植物が勢いよく茂り豊かな状態を意味している。
本発明の機能性物質のラッシュは、ロープの芯からループ繊維が１０ｃｍ以上あり、片持ち構造と成っている為、ループ繊維に付着物が着いても重力で自然に剥落し、水床に沈降して転がりながら粒子径を大きくして、再浮上しにくい水床の沈殿物質となる。
【０００９】
このように機能性を有する水透過垂下膜状体１は、図３に示すように必要により支持枠を介して、その上部にフロート４を一体に設ける。そして、水透過垂下膜状体１の縦幅（水深方向）は設置場所の水深および濁水の濁度によって異なるが、一般的には１〜５ｍであることが好ましい。また横幅な表層取水浄化装置の規模に応じて適宜選択することができる。      
【００１０】
この機能性を有する水透過垂下膜状体１は水流に対しその膜状面を対向するように設置し、かつ前後の水透過垂下膜状体１の間に間隔を設けて多重展張する。なお水透過垂下膜状体１間の間隔は、単位時間当りに取水量および濁水の濁度のよって適宜決定することができるが、一般的には０．６〜５ｍの間隔を設けることが好ましい。また水透過垂下膜状体１の下端部には、巻き上りを防止するために重錘５が設けられている。
【００１１】
次に小規模ダムに設置し、濁水の清澄化方法について図４で説明する。
取水塔６の両サイドの壁面にレール７を鉛直に設置する。コの字形の支持枠（図示せず）を介してフロートを設けた水不透過垂下膜（下端部に重錘５を設ける）８はレール７を水位の変化によって上下にスライドするように設けられており、かつ両サイドに設けられた水不透過垂下膜（シート膜）８の間に水透過垂下膜状体１を間隔を設けて多重展張する（図４においては５条展張した場合を示す）。
【００１２】
また他の態様として図５および図６に示すようにダム幅いっぱいにフロート付の水透過垂下膜状体１を水流に対し対向するように多重展張することもできる（図５および図６においては二重展張の場合を示す）。このような展張方法を採用すると流木流入防止も行うことができる。
本発明方法は、前記した取水塔６を囲繞するように水透過垂下膜状体１を設置したり、ダム幅いっぱいに設置したりすることができ、場合によっては図５および図６に示すように併用することもできる。
【００１３】
また他の態様として図７、図８および図９に示すように半円形の支持枠を介して上部にフロートを、下部に水透過垂下膜状体１を取り付けて取水塔を囲繞するように間隔を設けて半円形状に多重展張することもできる。
さらに他の態様として図１０および図１１に示すように長方型の短辺部の一方を半円型にした上部支持枠９の側部にフロート１０を設け、半円型部分にはゴミ等を除去するためのネット１１を設ける。ネット１１の下部は、前記上部支持枠９と同型の下部支持枠１２に固定する。そして上部支持枠９内には水流に対して対向するように上部にフロートを有する水透過垂下膜状体１を間隔を設けて多重展張する（図９は４条展張した場合を示した）。また半円型部の対向する短辺部には隔壁１３を有する取水口部１４を下部支持枠１２に固定する。取水口部１４の隔壁１３はその上部が水面下にあるため該隔壁１３を越流させて取水できるので清澄化を効率的に取水することができる。また前記取水口部１４には水面近傍部に取水口を有する取水管１５を設ける。さらに下部支持枠１２にはスリット状の底部１６を設けることもできる。このスリット状の底部１６を設けることによって水深の浅いところに設置しても下部からの濁水の巻き上げ防止することができると共に、水透過垂下膜状体１から剥離落下してもスリット間から外に排出できる。
【００１４】
さらに他の態様としては図１２および図１３に示すように六角型の型枠を２個調整し、上部六角型型枠（図示せず）の上部にフロートを一体に設け、また上部六角型の型枠の下部に水透過垂下膜状体１を一体に設ける。このように六角形状に多重展張することによって表層取水浄化装置を調製する。
また六角形の中心部に水面近傍に取水口１７を有する取水管１８を設ける。この取水管１８は上部六角型型枠および下部支持枠１９に固定されている。また外縁部を構成する水透過垂下膜状体１は図１３に示すように下部が水不透過性の垂下膜体２０で構成され、上部が水透過垂下膜状体で構成されているものも使用することができる。
【００１５】
図１０および図１２に示したような表層取水浄化装置の場合は図１４に示すようにフレキシブル耐圧ホース２１を用いてダムに設けられ新設された取水管２２に接続下流側河川等を送水する。
【図１】
2015085285.tif 000003
【図２】
2015085285.tif 000004
【図３】
2015085285.tif 000005
【図４】
2015085285.tif 000006
【図５】
2015085285.tif 000007
【図６】
2015085285.tif 000008
【図７】
2015085285.tif 000009
【図８】
2015085285.tif 000010
【図９】
2015085285.tif 000011
【図１０】
2015085285.tif 000012
【図１１】
2015085285.tif 000013
【図１２】
2015085285.tif 000014
【図１３】
2015085285.tif 000015
【図１４】
2015085285.tif 000016
【図１５】
2015085285.tif 000017